(57)【要約】【課題】  本発明は、お風呂に入る前の浴槽内への転落を防止することができる給湯機を提供することを目的とする。【解決手段】  上記を解決するため、本発明の給湯機は、浴槽へ湯はりをする湯はり回路と、浴槽内の人を検出する人検出手段と、該人検出手段が湯張り運転前に人を検出した場合に、警報を発する警報手段と、前記人検出手段の検出結果に基づいて前記湯はり回路を制御する制御装置と、を具備することを特徴とする。また、浴槽へ湯はりをする湯はり回路と、浴槽内の人を検出する人検出手段と、該人検出手段が湯はり運転中に人を検出した場合に、警報を発する警報手段と、前記人検出手段の検出結果に基づいて前記湯はり回路を制御する制御装置と、を具備することを特徴とする。【選択図】  図４
2015135222.tif 000002
【特許請求の範囲】
【請求項１】
浴槽へ湯はりをする湯はり回路と、
浴槽内の人を検出する人検出手段と、
該人検出手段が湯張り運転前に人を検出した場合に、警報を発する警報手段と、
前記人検出手段の検出結果に基づいて前記湯はり回路を制御する制御装置と、
を具備することを特徴とする給湯機。
【請求項２】
請求項１に記載の給湯機において、
前記警報手段が警報を発したときは、湯はり運転の開始を保留することを特徴とする給湯機。
【請求項３】
浴槽へ湯はりをする湯はり回路と、
浴槽内の人を検出する人検出手段と、
該人検出手段が湯はり運転中に人を検出した場合に、警報を発する警報手段と、
前記人検出手段の検出結果に基づいて前記湯はり回路を制御する制御装置と、
を具備することを特徴とする給湯機。
【請求項４】
請求項２に記載の給湯機において、
前記警報手段が警報を発したときは、湯はり運転を中断することを特徴とする給湯機。
【請求項５】
請求項４に記載の給湯機において、
さらに、前記制御装置からの制御で前記浴槽内の湯水を自動排水する自動排水弁を設け、
湯はり運転を中断した後に、前記浴槽内の湯水を自動排水することを特徴とする給湯機。
【請求項６】
請求項１〜５何れか一項に記載の給湯機において、
前記湯はり回路への湯はり運転開始指令は、携帯機器からの指令に基づいて開始され、
前記警報手段が警報を発したときには、前記携帯機器に警報が発せられたことを通報することを特徴とする給湯機。
【請求項７】
請求項６に記載の給湯機において、
さらに、カメラ装置または通話装置を有しており、
前記警報手段が警報を発したときには、前記カメラ装置を通した映像情報または前記通話装置を通した音声情報の何れかを前記携帯機器に送信することを特徴とする給湯機。
【請求項８】
請求項７に記載の給湯機において、
前記携帯機器からの指令によって、前記浴槽への湯はりを開始できることを特徴とする給湯機。
【発明の詳細な説明】
【技術分野】
【０００１】
本発明は、人検知機能を備えた風呂用の給湯機に関するものである。
【背景技術】
【０００２】
従来、お風呂に入っている際に人検知手段を用いて、一定時間動きがないと判断した場合に浴槽内に人が溺れてしまったと認識して警報をならす、あるいは自動排水弁を開けてお湯を浴槽内から出す技術がある(特許文献１)
【先行技術文献】
【特許文献】
【０００３】
【特許文献１】特開２００３−１２３１６２号公報
【発明の概要】
【発明が解決しようとする課題】
【０００４】
しかしながら、お風呂に湯はりをしている際に乳幼児などが浴槽内に転落してしまい、溺れてしまう事故などが近年増えてきている。また最近では、ふろの予約機能や、外部からの操作端末(たとえばHA端子やHEMS（Home Energy Management System）など)により、家にいなくても湯はり運転を開始することができる家庭も増えてきている。この場合、湯はり完了後にお風呂に入る場合の事故は防げても、お風呂に入る前の事故を防げない課題を有していた。
【０００５】
本発明は上記のような問題を解決するもので、お風呂に入る前の浴槽内にて溺れてしまうことを防止することができる給湯機を提供することを目的とする。
【課題を解決するための手段】
【０００６】
上記を解決するため、本発明の給湯機は、浴槽へ湯はりをする湯はり回路と、浴槽内の人を検出する人検出手段と、該人検出手段が湯張り運転前に人を検出した場合に、警報を発する警報手段と、前記人検出手段の検出結果に基づいて前記湯はり回路を制御する制御装置と、を具備することを特徴とする。
【０００７】
また、浴槽へ湯はりをする湯はり回路と、浴槽内の人を検出する人検出手段と、該人検出手段が湯はり運転中に人を検出した場合に、警報を発する警報手段と、前記人検出手段の検出結果に基づいて前記湯はり回路を制御する制御装置と、を具備することを特徴とする。
【発明の効果】
【０００８】
本発明によれば、湯はり前または湯はり中に、浴槽内に人やペットがいるかを判断し、人などがいると判断されたときには、警報で退避を促すととともに、湯はり前であれば、湯はりを開始しない、あるいは、湯はり中であれば、湯はりを中断することで、浴槽内に人がいるのに浴槽内の湯水量が増加するのを防止できる。
【図面の簡単な説明】
【０００９】
【図１】一実施例の給湯機の構成図
【図２】リモコン装置に表示する湯はり中断時の選択画面
【図３】リモコン装置に表示する湯はり安全機能の設定画面
【図４】一実施例の給湯機の制御フローを示す図
【図５】一実施例の給湯機を含むＨＥＭＳの説明図
【発明を実施するための形態】
【００１０】
以下、図面を参照しながら本発明の給湯機の実施例を説明する。なお、以下の実施例の具体的構成によって本発明が限定されるものではない。
【実施例１】
【００１１】
図１を例に実施例１の給湯機を説明する。ここに示すように、本実施例の風呂追い焚き機能付の貯湯式給湯機は、通常は屋外に設置されるタンクユニット１とヒートポンプユニット２、および、台所や浴室に設置されるリモコン装置９を備え、ヒートポンプユニット２で低温水から高温水を生成し、生成した高温水をタンクユニット１内の貯湯タンク３に貯えるものである。また、タンクユニット１には、マイコンやその電子制御部品で構成された制御装置９４が設けられており、リモコン装置９、温度センサ４１、８１、水位センサ６６、浴槽内湯温センサ６７、フロースイッチ６８、流量センサ８２等からの指令や検出信号に応じて、電動式混合弁４、８、追い焚きポンプ７、風呂ポンプ６５等の機器を制御する。なお、ここでは、ヒートポンプユニット２で高温水を生成する給湯機を例示するが、ヒートポンプユニット２に代え電気ヒータや燃焼ガスを用いて高温水を生成してもよい。
【００１２】
また、本実施例の給湯機は、図５に示すように、携帯電話やタブレット機器等の携帯機器（外部端末５１）からの操作によって、給湯機１を制御できるようにしてもよい。すなわち、外部端末５１から無線通信で与えられる指令を、ＨＥＭＳ機器５２が受け取り、リモコン装置９を介して指令をタンクユニット１内の制御装置９４に伝え、湯はりなどを開始する構成としてもよい。なお、ここでは、一例として、ＨＥＭＳを例に挙げたが、ＨＡ端子を有する機器を介してリモコン装置９に外部端末５１からの指令を与える構成としても良い。
【００１３】
貯湯タンク３には、その下部に接続された給水配管３１を介して、給水源からの低温水が供給される。また、貯湯タンク３の上部の出湯管３２から出た高温水は、電動式混合弁４、８で低温水と混合され、リモコン装置９で設定した所望の温度の湯水となって、給湯端末４２や浴槽５へ供給される。なお、図から明らかなように、貯湯タンク３内には常時給水圧が掛かっているため、ポンプなどを用いなくても、給湯端末４２や浴槽５へ湯水を供給することができる。
【００１４】
まず、本実施例の給湯機の湯はり回路を説明する。湯はり回路は、湯水を浴槽５に供給する回路であり、貯湯タンク３の上部に接続された出湯管３２から分岐した風呂給湯管３４を経た高温水と、給水配管３１から分岐した風呂給水配管３５を経た低温水が、電動式混合弁８で所定の混合比で混合され、リモコン装置９で設定した所望の温度の湯水となった後、さらに、電磁弁８３、逆止弁８４、追い焚き熱交換器６、往き配管６４、往き接続管６２を順に通って、浴槽５に至る回路である。
【００１５】
また、電動式混合弁８の下流側には、湯はり回路を流れる湯水の温度を検出する温度センサ８１と、浴槽５に供給される流量を検出する流量センサ８２が設けられており、温度センサ８１で検出される温度が、リモコン装置９で指令した温度になるように、制御装置９４が電動式混合弁８の混合比を制御する。
【００１６】
さらに、二方向の電磁弁８３が設けられており、湯はり開始時には、電磁弁８３が開くと同時に、浴槽５への湯水の供給が開始される。そして電磁弁８３が開いた後には、戻り配管６３および往き配管６４の二方向から浴槽５へと湯はりが行われる。また、汚水の逆流を防ぐための逆止弁８４が設けられている。
【００１７】
次に、本実施例の給湯機の風呂循環路を説明する。風呂循環路は、浴槽５内の冷えた湯水を回収し、加熱してから浴槽５に戻す追い焚き用の循環路であり、浴槽５に溜まった湯水が、アダプタ５１の戻り接続管６１、風呂ポンプ６５、戻り配管６３を経て、追い焚き熱交換器６に至り、この追い焚き熱交換器６で加熱された後、往き配管６４、アダプタ５１の往き接続管６２を順に通って、浴槽５に戻る循環路である。
【００１８】
追い焚き加熱を実現するため、追い焚き熱交換器６の高温側回路は、貯湯タンク３内の高温水が供給されるように構成されており、熱交換した後の温水を貯湯タンク３の下方部へ戻すように構成されている。なお、高温側回路には、追い焚きポンプ７が配設されており、追い焚きポンプ７が駆動することによって貯湯タンク３内の高温水が、追い焚き熱交換器６へ搬送される。
【００１９】
一方、追い焚き熱交換器６の低温側回路は、浴槽５内の冷えた湯水が供給されるように構成されており、熱交換した後の温まった浴槽水を、再度浴槽５へ戻すように構成されている。なお、戻り配管６３には、浴槽５内の湯水を循環させるための搬送手段である風呂ポンプ６５が設けられており、風呂ポンプ６５が駆動することにより、浴槽５内の湯水が戻り配管６３に吸い込まれ、追い焚き熱交換器６を経て、往き配管６４へ流れ込み、再度浴槽５へ戻される。
【００２０】
また、戻り接続管６１には、浴槽５内の水位を検出する水位センサ６６、浴槽５内の湯水の温度を検出する浴槽内湯温センサ６７、フロースイッチ６８が設けられており、風呂ポンプ６５と追い焚き熱交換器６の間には、風呂循環路内の水の流れを検知するフロースイッチ６８が設けられている。
【００２１】
以上のように構成された貯湯式給湯機において、まず、貯湯式給湯機の湯はりおよびその後の保温動作の制御フローについて、図４を用いて説明する。なお、ここでは、人検出手段９３の機能をオンにしている場合の動作についてのみ説明し、従来と同等の動作となるオフ時については説明を省略する。
【００２２】
湯はり運転開始の指令が出されると（Ｓ４０２）、人検出手段９３を用いて浴室内に人がいるかを検出する判断する（Ｓ４０３）。
【００２３】
人検出手段９３に反応があり、浴室内に人がいると判断される場合は、湯はり運転を保留する（Ｓ４０４）とともにリモコン装置９から警報を発する（Ｓ４０５）。これにより、乳幼児やペットなどが浴室内にいたとしても、大人に乳幼児などの退避を促すことができ、湯はりによって乳幼児などが溺れてしまうのを防止できる。なお、図４には示さないが、警報を聞いた大人が浴槽５内の安全を確認したときには、リモコン装置９で所定の操作を行うことで、直ちに湯はり運転を開始できる構成としてもよい。
【００２４】
続いて、湯はり運転開始指令が外部端末５１により発せられたものであるかを判断する（Ｓ４０６）。外部端末５１からの指令により湯はり運転を開始した場合、リモコン装置９から外部端末５１に対し、浴槽５内に人やペットがいたため、湯はりを開始しない旨を通報する（Ｓ４０７）。これにより、使用者は湯はり運転を開始しなかったこと、および、その原因を認識することができ、別の対応をすることが可能となる。なお、このとき、リモコン装置９のカメラ装置の映像を外部端末５１に送信する構成としても良いし、リモコン装置９の通話装置を用いて、携帯電話などの外部端末５１からリモコン装置９を介して、浴室内の音を聞いたり、浴室に話しかけたりできるようにしても良い。これにより、家主は浴室内の進入者のより正確な情報を知ることができ、さらには浴槽５へ近づくことを抑制することも可能となる。なお、図４には示さないが、カメラ装置や通話装置からの情報を外部端末５１で確認した使用者が浴槽５内の安全を確認したときには、外部端末５１で所定の操作を行うことで、直ちに湯はり運転を開始できる構成としてもよい。
【００２５】
一方、リモコン装置９からの指令により湯はり運転を開始した場合には、Ｓ４０７は省略される。
【００２６】
次に、人検出手段９３が人等を検出する状態が所定時間継続するかを判断する（Ｓ４０８）。そして、その状態が所定時間以上継続するときには、湯はり運転を終了する（Ｓ４０９、Ｓ４２１）。
【００２７】
また、Ｓ４０３にて、人等が検出されなかったときや、Ｓ４０８にて、所定時間内に人等を検出しなくなったときには、浴槽５に湯はりをしても問題がないため、湯はり運転を開始する（Ｓ４１０）。なお、湯はり運転は浴槽５内の湯水量が所定量になったときに終了するが、湯水量が所定量になったときに湯はりを終了するという従来からの制御は説明を省略することとする。
【００２８】
次に、Ｓ４１１に示すように、湯はり運転中にも人検出手段９３は動作しており、浴槽５内への人等の進入の有無を判断し、人検出手段９３の反応がない場合は、そのまま湯はり運転動作を継続して実施する。
【００２９】
一方、運転動作中に人検出手段９３に反応があった場合は、湯はり運転動作を中断する（Ｓ４１２）とともにリモコン装置９から警報を発する（Ｓ４１３）。このように、湯はり運転動作中に乳幼児やペットなどが浴室内に進入してきた場合に浴室に近づく前に警報が発生することで、浴槽５に近づくことを抑制し、浴槽５内への転落などによって溺れてしまうことを防止することが可能となる。
【００３０】
さらに、自動排水弁９５を浴槽５の排水箇所に備え付けた場合に自動で浴槽５内の湯水を排水させる（Ｓ４１４）。これにより、乳幼児やペットなどが浴室内に進入してきた場合に、すでに浴室に湯水が溜まってしまった場合においても即座に排水することによって、浴槽５内への転落などによって溺れてしまうことを防止することが可能となる。
【００３１】
次に、Ｓ４０６と同様に、湯はり運転開始指令が外部端末５１により発せられたものであるかを判断する（Ｓ４１５）。外部端末５１からの指令により湯はり運転を開始した場合、リモコン装置９から外部端末５１に対し、浴槽５内に人やペットが進入したため、湯はりを中断した旨を通報する（Ｓ４１６）。これにより、使用者は湯はり運転を中断したこと、および、その原因を認識することができ、別の対応をすることが可能となる。なお、このとき、リモコン装置９のカメラ装置の映像を外部端末５１に送信する構成としても良いし、リモコン装置９の通話装置を用いて、携帯電話などの外部端末５１からリモコン装置９を介して、浴室内の音を聞いたり、浴室に話しかけたりできるようにしても良い。これにより、家主は浴室内の進入者のより正確な情報を知ることができ、さらには浴槽５へ近づくことを抑制することも可能となる。
【００３２】
その後、リモコン装置９の画面には湯はりを継続するか否かの選択画面を表示する（Ｓ４１７）。具体的には、図２に示すような画面を表示し、継続を希望して「決定」を押した場合のみ湯はり運転が再開される（Ｓ４１８、Ｓ４１９）。一方、「決定」を押すことなく、所定の時間を経過した場合はそのまま湯はり運転を中止する（Ｓ４２０）。
【００３３】
これにより、湯はり運転動作中に、乳幼児やペットなどが浴室内に進入してきた場合に湯はり運転を中止することで浴槽５内への転落などによって溺れてしまうことを防止することが可能となるとともに、安全が確認されたときには、適宜、湯はり運転を再開することができる。
【実施例２】
【００３４】
次に、実施例２の給湯機について説明する。なお、実施例１と共通する点は、説明を省略するものとする。
【００３５】
実施例１では、原則として、図４に示した全てを実施できる給湯機を例示したが、幼児やペット等がいない家庭では、図４の何れか（例えば、Ｓ４１４）の実施が好ましくない場合もある。そこで、実施例２の給湯機では、図４に示した一連の処理の全体、或いは、一連の処理のうち使用者が選択した任意の処理を入／切できるようにした。
【００３６】
具体的には、使用者が図３に示すリモコン装置９の表示部９１を操作し、「入」を選択して決定した場合に実施例１の動作をさせる。これにより、使用者は家に乳幼児やペットなどがいて、危険が伴う場合だと判断した場合のみ機能を入れて使用することができ、また、使用者の家に乳幼児やペットなどがいなく、特に不必要な場合には機能を切ることができ、各使用者の家族形態に合わせて動作させることが可能となる。
【００３７】
なお、図３では、実施例１の図４に示した全ての機能を一括して無効とすることができる例を示したが、本実施例の適用対象はこれに限られず、使用者が選択した任意の機能（例えば、Ｓ４０６、Ｓ４０７、Ｓ４１４、Ｓ４１５、Ｓ４１６）を特定して無効にできるようにしてもよい。
【符号の説明】
【００３８】
１  タンクユニット
２  ヒートポンプユニット
３  貯湯タンク
５  浴槽
６  追い焚き熱交換器（風呂加熱手段）
９  リモコン装置（操作手段）
６１  戻り接続管
６２  往き接続管
６３  戻り配管
６４  往き配管
６７  浴槽内湯温センサ
９３  人検出手段
９４  制御装置
９５  自動排水弁
【図１】
2015135222.tif 000003
【図２】
2015135222.tif 000004
【図３】
2015135222.tif 000005
【図４】
2015135222.tif 000006
【図５】
2015135222.tif 000007